(57)【要約】 【解決手段】  マウスマスク部（Ａ）、アイマスク部（Ｂ）、及び、耳掛けループ（Ｃ）を含んで構成されたアイマスク付きマスクであって、中心線（Ｅ）を中心として二折にすることが可能であり、第１の使用態様として、マウスマスク部（Ａ）とアイマスク部（Ｂ）を展開することにより、眼部と口部を同時にマスクすることができ、第２の使用態様として、中心線（Ｅ）で二折にして、マウスマスク部（Ａ）を顔面側とすることにより、マウスマスクとして口部をマスクすることができ、第３の使用態様として、中心線（Ｅ）で二折にして、アイマスク部（Ｂ）を顔面側とすることにより、アイマスクとして眼部をマスクすることができることを特徴とする３態様に適用可能なアイマスク付きマスク。【効果】  マウスマスク部とアイマスク部のうち、一方又は両方の使用が可能であるので、マウスマスクとアイマスクを別々に携帯する必要がない。【選択図】  図３
2012165829.tif 000002
【特許請求の範囲】
【請求項１】
マウスマスク部（Ａ）、アイマスク部（Ｂ）、及び、耳掛けループ（Ｃ）を含んで構成され、マウスマスク部（Ａ）とアイマスク部（Ｂ）が一体化したアイマスク付きマスクであって、
耳掛けループ（Ｃ）は、マウスマスク部の耳掛けループ（ＣA）とアイマスク部の耳掛けループ（ＣB）から構成され、
マウスマスク部とアイマスク部の境界線に相当する中心線（Ｅ）を中心として二つ折りに
することが可能であり、
第１の使用態様として、眼部と口部を同時にマスクすることを所望する場合には、
中心線（Ｅ）を中心として二つ折りにすることなく、マウスマスク部（Ａ）とアイマスク部（Ｂ）を展開することにより、眼部と口部を同時にマスクすることができ、
第２の使用態様として、口部のみマスクすることを所望する場合には、
中心線（Ｅ）を中心として二つ折りにして、マウスマスク部（Ａ）を顔面側とすることにより、マウスマスクとして口部をマスクすることができ、
第３の使用態様として、眼部のみマスクすることを所望する場合には、
中心線（Ｅ）を中心として二つ折りにして、アイマスク部（Ｂ）を顔面側とすることにより、アイマスクとして眼部をマスクすることができることを特徴とする
３つの使用態様に適用可能なアイマスク付きマスク。
【請求項２】
マウスマスク部（Ａ）、アイマスク部（Ｂ）、及び、耳掛けループ（Ｃ）を含んで構成され、マウスマスク部（Ａ）とアイマスク部（Ｂ）が一体化したアイマスク付きマスクであって、
耳掛けループ（Ｃ）は、マウスマスク部の耳掛けループ（ＣA）から構成され、
アイマスク部（Ｂ）は、耳掛けループがなくても自立できる素材で構成され、
マウスマスク部とアイマスク部の境界線に相当する中心線（Ｅ）を中心として二つ折りに
することが可能であり、
第１の使用態様として、眼部と口部を同時にマスクすることを所望する場合には、
中心線（Ｅ）を中心として二つ折りにすることなく、マウスマスク部（Ａ）とアイマスク部（Ｂ）を展開することにより、眼部と口部を同時にマスクすることができ、
第２の使用態様として、口部のみマスクすることを所望する場合には、
中心線（Ｅ）を中心として二つ折りにして、マウスマスク部（Ａ）を顔面側とすることにより、マウスマスクとして口部をマスクすることができ、
第３の使用態様として、眼部のみマスクすることを所望する場合には、
中心線（Ｅ）を中心として二つ折りにして、アイマスク部（Ｂ）を顔面側とすることにより、アイマスクとして眼部をマスクすることができることを特徴とする
３つの使用態様に適用可能なアイマスク付きマスク。
【発明の詳細な説明】
【技術分野】
【０００１】
本発明は、アイマスク付きマスク、即ち、口部用マスク（マウスマスク）に眼部用マスク（アイマスク）を付属せしめた口部兼眼部用一体Ｗマスクに関する。
【背景技術】
【０００２】
旅客機々内、バスや電車の車内で配布される、頭、又は耳掛、付き口マスクと、
頭、又は耳掛けアイマスクの
両方を使用する事は耳や頭の負担になり安眠の妨げになる。
【０００３】
［特許文献１；特開２００１−１２９０１４号公報］
特許文献１（特開２００１−１２９０１４号公報）には、乗り物内等で、睡眠中にだらしなく開いてしまった口等を隠すことのできる顔カバー付きアイマスクが開示されている。
当該アイマスクには、目隠し部１ａとゴムひも１ｂとからなるアイマスク１の下方に顔カバー２が設けられている。
当該アイマスクを使用することによって、睡眠中に開いてしまった口やよだれを隠すことができるので、だらしない顔を他人に見られる心配がなく恥ずかしい思いをしないですむ。
さらに、だらしない顔を見られる心配がないので、飛行機や電車等の乗り物内でも安心してじっくり眠ることができる。
顔カバーがアイマスクに着脱自在に設けられたものでは、自宅での睡眠時には顔カバーを取り外してアイマスクのみを使用することもできる。
ポケットの設けられたものでは、ハーブや芳香ビーズ等の香材を入れて使うことができるのでリラックスして安眠できる。
ハーブ等の香材が内蔵されたものでは、リラックスして気持ちよく安眠することができる。
呼吸孔の設けられたものでは、息苦しさがないので、顔を被った時に息苦しさを敏感に感じる人でも気持ちよく安眠できる。
【０００４】
［特許文献２；実登２００１−１２９０１４号公報］
特許文献２（実登２００１−１２９０１４号公報）には、装身することで眼部への遮光効果と共に、耳部の保温効果を発揮し、その上耳部への防音効果をも発揮して秀れた熟睡効果を発揮する画期的なアイマスクが開示されいている。
当該アイマスクは、目隠し部材１の両端部に頭部に掛け回すバンド２を設けたアイマスクにおいて、この目隠し部材１の両端部に耳を覆う耳当て部３を連設状態に設けたことを特徴とする。
本考案は上述のように、目隠し部材の両端部に耳当て部を連設状態に設けて構成したから、従来のアイマスクと同様の眼部の遮光効果に加えて、耳部の保温、並びに騒音や雑音の防音効果が得られる。
当該アイマスクを使用することにより、耳当て部により耳が良好に保温されるから冬でも耳に冷たさを感じることがなく、しかもこの耳当て部が防音効果も果たすし、目隠し部材の遮光効果も得られるから、就寝時の秀れた熟睡効果を発揮することができる。
また、単に目隠し部材の両端部に耳当て部を連設状態に設けるだけで構成し得るから、コストも掛からず従来製品と略同様の製作工程にて容易に製品化し得る。
額覆い部により額を、頬覆い部により頬を覆うことにより、顔面がより広く覆われて一層保温効果が高められる。
耳当て部を防音性を備えた素材で構成することにより、より高い防音効果を得ることができる。
耳を二重に保護し、更に袋体によって布団から出ている頭と共に、首から肩に至るまで冷気から保護することにより、体が冷えず、トイレももよおすこともなくぐっすりと熟睡できる。
【０００５】
［特許文献３；実開平０３−００５４１６号公報］
特許文献３（実開平０３−００５４１６号公報）には、両眼を覆う横長のカバー主体と、該カバー主体から下方の顔面を覆う吊下げカバーとから構成され、前記カバー主体の左右両端に耳掛け紐を取付け、かつカバー主体の下端部内面及び吊下げカバーの上端部外面に互いに係合する係止具を対向して固着し、吊下げカバーをカバー主体に着脱可能に固定したことを特徴とする吊下げカバー付き安眠用眼帯が開示されている。
当該安眠用眼帯を使用することにより、カバー主体を装着することにより両眼は勿論、カバー主体より下方の顔面も吊り下げカバーによって覆われるので、寝顔を他人に見られる虞れがなく安心して睡眠をとることができる。
それに吊下げカバーは簡単に取り外しをすることができるので、必要に応じてカバー主体のみでも使用でき非常に便利である。
【０００６】
［特許文献４；実開平０３−１１１３１８号公報］
特許文献４（実開平０３−１１１３１８号公報）には、表面に透明シートのポケットが形成された遮光性マスク本体と、前記ポケットに挿脱自在に装填され、表面に任意のメッセージが表示されたメッセージカードとから構成されているアイマスクが開示されている。
遮光性を有するマスク本体の表面に、任意のメッセージを施すことができるので、「○○時に起こして下さい。」、「○○駅で起こして下さい。」、「食事には起こして下さい。」、「ご訪問を歓迎します。」その他の伝言を表して眼部に装着して使用することにより、周囲の者がメッセージに応答し得、以て、安心して熟睡できるという効果を奏する。
【０００７】
［特許文献５；特開２００４−２９８５７９号公報］
特許文献５（特開２００４−２９８５７９号公報）には、アイマスクを袋状にし、その中にフェースカバーを収納しているので、アイマスク内からフェースカバーを引き出して顔にアイマスクを装着することで、顔全体を覆うことができるため、寝顔を人に見られることなく安眠できるフェースカバー収納アイマスクが開示されている。
乗り物の中や外出先で眠る時、寝顔は人に見られたくないものであり、従来のアイマスクでは光を遮るだけで顔は隠れないという難点があったが、当該アイマスクを使用することにより、乗り物で睡眠をとる際に、寝顔を他人に見られることがなくなる。
【０００８】
［特許文献６；実開平５−６２２２６号公報］
特許文献６（実開平５−６２２２６号公報）には、両眼を覆うアイマスク本体１と、両眼下方の顔部を覆う顔カバー５とを備え、前記アイマスク本体１の一面に、前記顔カバー５の収容部が開口を下方に向けて形成されており、前記収容部内に前記顔カバー１の上端が取り付けられてなる顔カバー付きアイマスクが開示されている。
当該アイマスクを使用することにより、両眼をアイマスク本体で覆って安眠を導くとともに、必要に応じて、アイマスク本体側の収容部内から引き出した顔カバーによって両眼下方の顔部も同時に覆って、寝顔を他人に見られるのを防いで、より一層の安眠を導くことのできる。
【０００９】
しかしながら、特許文献１〜特許文献６の何れも、単に顔面を覆い隠す機能があるのみであり、
アイマスクを必要としない時はインフルエンザ対策の為早急に必要な、口マスクのみの使用が不完全である。
特許文献１〜特許文献６の何れも、面ファスナーを使用し、再使用を意図しており、
衛生管理上、細菌対策上問題が起きる。
【先行技術文献】
【特許文献】
【００１０】
【特許文献１】特開２００１−１２９０１４号公報
【特許文献２】実登２００１−１２９０１４号公報
【特許文献３】実開平０３−００５４１６号公報
【特許文献４】実開平０３−１１１３１８号公報
【特許文献５】特開２００４−２９８５７９号公報
【特許文献６】実開平５−６２２２６号公報
【発明の概要】
【発明が解決しようとする課題】
【００１１】
従来の口部マスク（マウスマスク）、眼部マスク（アイマスク）を機内、車内で同時着用することは、頭、耳掛けが負担で、安眠の妨げになり、同時着用には無理が有った。
従来のアメニティーフェイスマスク（アメニティー顔面マスク）は、再使用目的と、眠らない時、休即時以外はアイマスク部は必要が無く、口マスクのみの使用に無理があつた。
現在、細菌対策が重要な折、空気の移動が限られている、機内、車内では、口マスクは無くては成らない存在になっている。
後日の再使用は衛生上好ましくない場合もある。
外出先で購入するアイマスクは高価であった。
アイマスクも使い捨て素材にすることにより、機内、車内、外出先で、安価に、細菌対策が簡単に出来る。
【００１２】
［第１の解決課題］
第１の解決課題は、マウスマスク部とアイマスク部のうち、一方又は両方の使用が可能であって、マウスマスクとアイマスクを別々に携帯する必要がない一体化せしめたアイマスク付きマスクを提供することである。
【００１３】
［第２の解決課題］
第２の解決課題は、中心線（Ｅ、マウスマスク部とアイマスク部の境界線であって、マウスマスク部上縁、及び／又は、アイマスク部下縁に相当する線）を折るだけで、マウスマスク、又は、アイマスクとして使用することができる一体化せしめたアイマスク付きマスクを提供することである。
【００１４】
［第３の解決課題］
第３の解決課題は、ディスポーザブル素材を使用することにより、細菌対策やウィルス対策に適した衛生用品として活用することが可能なアイマスク付きマスクを提供することである。
【００１５】
［第４の解決課題］
第４の解決課題は、廉価で高機能な不織布やフェルト等の素材として使用することにより、生産コストの低減に資することができるアイマスク付きマスクを提供することである。
【００１６】
［第５の解決課題］
第５の解決課題は、マウスマスクとアイマスクを、接続化、又は、一体化することにより、マスクの内側や耳掛けループに起因する、耳、鼻、顔面、頭部等への負荷・違和感を軽減せしめたアイマスク付きマスクを提供することである。
【００１７】
［第６の解決課題］
第６の解決課題は、マウスマスクとアイマスクを、接続化、又は、一体化することにより、不織布やフェルト等の軽量な素材を使用することにより、マスク全体を軽量化することができる。
【課題を解決するための手段】
【００１８】
本発明者は、このような従来の技術における問題点に鑑み、鋭意検討を進めた結果、細菌対策、乾燥対策、安眠対策を兼ね備え、中心線（Ｅ、マウスマスク部とアイマスク部の境界線であって、マウスマスク部上縁、及び／又は、アイマスク部下縁に相当する線）を折るだけで、マウスマスク部、及び／又は、アイマスク部の使用が可能（即ち、マウスマスク部とアイマスク部のうち、一方又は両方の使用が可能）なアイマスク付きマスク、即ち、口部用マスク（マウスマスク）に眼部用マスク（アイマスク）を付属せしめた口部兼眼部用一体Ｗマスクの発明を完成するに至った。
本願発明に係るアイマスク付きマスクは、ワンウェイのディスポーザブルであっても良いし、ウォッシャブル又はリサイクル可能なリターナブルであっても良い。
【００１９】
本願発明は、特許請求の範囲に記載した各請求項に基づき特定される。
【００２０】
［特許請求の範囲］
［請求項１］
マウスマスク部（Ａ）、アイマスク部（Ｂ）、及び、耳掛けループ（Ｃ）を含んで構成され、マウスマスク部（Ａ）とアイマスク部（Ｂ）が一体化したアイマスク付きマスクであって、
耳掛けループ（Ｃ）は、マウスマスク部の耳掛けループ（ＣA）とアイマスク部の耳掛けループ（ＣB）から構成され、
マウスマスク部とアイマスク部の境界線に相当する中心線（Ｅ）を中心として二つ折りに
することが可能であり、
第１の使用態様として、眼部と口部を同時にマスクすることを所望する場合には、
中心線（Ｅ）を中心として二つ折りにすることなく、マウスマスク部（Ａ）とアイマスク部（Ｂ）を展開することにより、眼部と口部を同時にマスクすることができ、
第２の使用態様として、口部のみマスクすることを所望する場合には、
中心線（Ｅ）を中心として二つ折りにして、マウスマスク部（Ａ）を顔面側とすることにより、マウスマスクとして口部をマスクすることができ、
第３の使用態様として、眼部のみマスクすることを所望する場合には、
中心線（Ｅ）を中心として二つ折りにして、アイマスク部（Ｂ）を顔面側とすることにより、アイマスクとして眼部をマスクすることができることを特徴とする
３つの使用態様に適用可能なアイマスク付きマスク。
［請求項２］
マウスマスク部（Ａ）、アイマスク部（Ｂ）、及び、耳掛けループ（Ｃ）を含んで構成され、マウスマスク部（Ａ）とアイマスク部（Ｂ）が一体化したアイマスク付きマスクであって、
耳掛けループ（Ｃ）は、マウスマスク部の耳掛けループ（ＣA）から構成され、
アイマスク部（Ｂ）は、耳掛けループがなくても自立できる素材で構成され、
マウスマスク部とアイマスク部の境界線に相当する中心線（Ｅ）を中心として二つ折りに
することが可能であり、
第１の使用態様として、眼部と口部を同時にマスクすることを所望する場合には、
中心線（Ｅ）を中心として二つ折りにすることなく、マウスマスク部（Ａ）とアイマスク部（Ｂ）を展開することにより、眼部と口部を同時にマスクすることができ、
第２の使用態様として、口部のみマスクすることを所望する場合には、
中心線（Ｅ）を中心として二つ折りにして、マウスマスク部（Ａ）を顔面側とすることにより、マウスマスクとして口部をマスクすることができ、
第３の使用態様として、眼部のみマスクすることを所望する場合には、
中心線（Ｅ）を中心として二つ折りにして、アイマスク部（Ｂ）を顔面側とすることにより、アイマスクとして眼部をマスクすることができることを特徴とする
３つの使用態様に適用可能なアイマスク付きマスク。
【発明の効果】
【００２１】
［第１の発明の効果］
本願発明に係るアイマスク付きマスクは、口部用マスク（マウスマスク）に眼部用マスク（アイマスク）を付属せしめた口部兼眼部用一体化せしめたダブルマスクであるので、マウスマスク部とアイマスク部のうち、一方又は両方の使用が可能であるので、マウスマスクとアイマスクを別々に携帯する必要がない。
【００２２】
［第２の発明の効果］
本願発明に係るアイマスク付きマスクは、口部用マスク（マウスマスク）に眼部用マスク（アイマスク）を付属せしめた口部兼眼部用一体化せしめたダブルマスクであって、中心線（Ｅ、マウスマスク部とアイマスク部の境界線であって、マウスマスク部上縁、及び／又は、アイマスク部下縁に相当する線）を折るだけで、マウスマスク、又は、アイマスクとして使用することができる。
【００２３】
［第３の発明の効果］
本願発明に係るアイマスク付きマスクは、ディスポーザブル素材を使用することにより、細菌対策やウィルス対策に適した衛生用品として活用することが可能である。
【００２４】
［第４の発明の効果］
本願発明に係るアイマスク付きマスクは、廉価で高機能な不織布やフェルトを素材として使用することにより、生産コストの低減に資することができる。
【００２５】
［第５の発明の効果］
本願発明に係るアイマスク付きマスクは、マウスマスクとアイマスクが、接続、又は、一体化しているため、マスクの内側や耳掛けループに起因する、耳、鼻、顔面、頭部等への負荷・違和感が軽減される。
【００２６】
［第６の発明の効果］
本願発明に係るアイマスク付きマスクは、マウスマスクとアイマスクが、接続、又は、一体化しているため、不織布やフェルト等の軽量な素材を使用することにより、マスク全体を軽量化することができる。
【発明を実施するための最良の形態】
【００２７】
使い捨て目、口兼用Ｗマスクの使用場所、目的に依り、口マスクの型、色、材質は細菌対策、乾燥対策、安眠対策を重視し使用場所に依り変えることが出来る。
アイマスクの型、色、材質は細菌対策、乾燥対策、安眠対策を重視し使用場所に依り変えることが出来る。
耳掛け、頭賭けの有無、は安眠、休息を重視し、有っても無くても良い。
耳掛けの材質は耳、頭の負担にならない素材であれば何でも良い。
【発明を実施するための形態】
【００２８】
マウスマスク部とアイマスク部の素材は、特に限定されるものではない。
マウスマスク部の素材は特に限定されるものではないが、好ましくは、衛生維持、浮遊細菌の捕捉、乾燥防止等を重視する観点から、合目的的に製作方法、型、大きさ、色、材質が選択される。
アイマスク部の素材は特に限定されるものではないが、好ましくは、安眠と休息の維持、遮光性を重視する観点から、合目的的に製作方法、型、大きさ、色、材質又、耳掛けが選択される。
本願発明の実施形態にについて、以下に図１〜図６に基づいて説明をする。
【００２９】
図１に、アイマスク付きマスクの基本構造（実施例１）を示した。
図１において、Ａは口部マスクモジュール（マウスマスク部）であり、Ｂは眼部マスクモジュール（アイマスク部）であり、ＣAはマウスマスク部の耳掛けループであり、ＣBはアイマスク部の耳掛けループであり、Ｅは中心線（マウスマスク部とアイマスク部の境界線（マウスマスク部上縁／アイマスク部下縁））である。
【００３０】
図２に、アイマスク付きマスクの基本構造（実施例２）を示した。
図２において、Ａは口部マスクモジュール（マウスマスク部）であり、Ｂは眼部マスクモジュール（アイマスク部）であり、ＣAはマウスマスク部の耳掛けループであり、Ｅは中心線（マウスマスク部とアイマスク部の境界線（マウスマスク部上縁／アイマスク部下縁））である。
アイマスク部（Ｂ）は、耳掛けループ（ＣB）がなくても、眼部と反対側にしなだれ落ちることなく、眼部側に密着・圧着しつつ自立することができる腰の強い素材（この場合は、腰の強い不織布）で構成されている。
【００３１】
図３に、アイマスク付きマスクの基本構造（実施例３）を示した。
図３において、Ａは口部マスクモジュール（マウスマスク部）であり、Ｂは眼部マスクモジュール（アイマスク部）であり、ＣAはマウスマスク部の耳掛けループである。
アイマスク部（Ｂ）は、耳掛けループ（ＣB）がなくても、眼部と反対側にしなだれ落ちることなく、眼部側に密着・圧着しつつ自立することができる腰の強い素材（この場合は、腰の強い不織布）で構成されている。
【００３２】
図４に、中心線Ｅで二折に畳んだ状態のアイマスク付きマスクの基本構造（実施例１）を示した。
図４において、Ａは口部マスクモジュール（マウスマスク部）であり、Ｂは眼部マスクモジュール（アイマスク部）であり、ＣAはマウスマスク部の耳掛けループであり、ＣBはアイマスク部の耳掛けループであり、Ｅは中心線（マウスマスク部とアイマスク部の境界線（マウスマスク部上縁／アイマスク部下縁））である。
【００３３】
図５に、アイマスク付きマスクの基本構造（実施例４）を示した。
図５において、Ａは口部マスクモジュール（マウスマスク部）であり、Ｂは眼部マスクモジュール（アイマスク部）であり、ＣAはマウスマスク部の耳掛けループであり、ＣBはアイマスク部の耳掛けループであり、Ｅは中心線（マウスマスク部とアイマスク部の境界線（マウスマスク部上縁／アイマスク部下縁））であり、Ｆはプリーツ（ゆとり、たるみ、ひだ、あそび）である。
アイマスク部（Ｂ）は、耳掛けループ（ＣB）がなくても、眼部と反対側にしなだれ落ちることなく、眼部側に密着・圧着しつつ自立することができる腰の強い素材（この場合は、フェルト）で構成されている。
【００３４】
図６に、中心線Ｅで二折に畳んだ状態のアイマスク付きマスクの基本構造（実施例４）を示した。
図５において、Ａは口部マスクモジュール（マウスマスク部）であり、Ｂは眼部マスクモジュール（アイマスク部）であり、ＣAはマウスマスク部の耳掛けループであり、ＣBはアイマスク部の耳掛けループであり、Ｅは中心線（マウスマスク部とアイマスク部の境界線（マウスマスク部上縁／アイマスク部下縁））である。
【図面の簡単な説明】
【００３５】
【図１】アイマスク付きマスクの基本構造（実施例１）        （中心線Ｅを中心として二折に畳むことなく展開した状態）。
【図２】アイマスク付きマスクの基本構造（実施例２）        （中心線Ｅを中心として二折に畳むことなく展開した状態）。
【図３】アイマスク付きマスクの基本構造（実施例３）        （中心線Ｅを中心として二折に畳むことなく展開した状態）。
【図４】アイマスク付きマスクの基本構造          （実施例１を中心線Ｅを中心として二折に畳んだ状態）。
【図５】アイマスク付きマスクの基本構造（実施例４）        （中心線Ｅを中心として二折に畳むことなく展開した状態）。
【図６】図６  アイマスク付きマスクの基本構造          （実施例４を中心線Ｅを中心として二折に畳んだ状態）
【符号の説明】
【００３６】
Ａ  口部マスクモジュール（マウスマスク部）
Ｂ  眼部マスクモジュール（アイマスク部）
Ｃ  耳掛けループ
ＣA  マウスマスク部の耳掛けループ
ＣB  アイマスク部の耳掛けループ
Ｄ  Ａ（マウスマスク部）＋Ｂ（アイマスク部）
Ｅ  中心線
（マウスマスク部とアイマスク部の境界線
（マウスマスク部上縁／アイマスク部下縁））
Ｆ  プリーツ（ゆとり、たるみ、ひだ、あそび）
【図１】
2012165829.tif 000003
【図２】
2012165829.tif 000004
【図３】
2012165829.tif 000005
【図４】
2012165829.tif 000006
【図５】
2012165829.tif 000007
【図６】
2012165829.tif 000008
【手続補正書】
【提出日】平成23年9月1日(2011.9.1)
【手続補正１】
【補正対象書類名】特許請求の範囲
【補正対象項目名】全文
【補正方法】変更
【補正の内容】
【特許請求の範囲】
【請求項１】
マウスマスク部（Ａ）、アイマスク部（Ｂ）、及び、耳掛けループ（Ｃ）を含んで構成され、マウスマスク部（Ａ）とアイマスク部（Ｂ）が一体化したアイマスク付きマスクであって、
耳掛けループ（Ｃ）は、マウスマスク部の耳掛けループ（ＣA）から構成され、アイマスク部（Ｂ）は、耳掛けループがなくても自立できる素材で構成され、アイマスク部は不透明な不織布又はフェルトを素材とし、マウスマスク部とアイマスク部の境界線に相当する中心線（Ｅ）を中心として二つ折りにすることが可能であり、
第１の使用態様として、眼部と口部を同時にマスクすることを所望する場合には、
中心線（Ｅ）を中心として二つ折りにすることなく、マウスマスク部（Ａ）とアイマスク部（Ｂ）を展開することにより、眼部と口部を同時にマスクすることができ、
第２の使用態様として、口部のみマスクすることを所望する場合には、
中心線（Ｅ）を中心として二つ折りにして、マウスマスク部（Ａ）を顔面側とすることにより、マウスマスクとして口部をマスクすることができ、
第３の使用態様として、眼部のみマスクすることを所望する場合には、
中心線（Ｅ）を中心として二つ折りにして、アイマスク部（Ｂ）を顔面側とすることにより、アイマスクとして眼部をマスクすることができることを特徴とする
３つの使用態様に適用可能な機内、車内又は外出先で細菌対策が出来るアイマスク付きマスク。
【手続補正２】
【補正対象書類名】明細書
【補正対象項目名】全文
【補正方法】変更
【補正の内容】
【発明の詳細な説明】
【技術分野】
【０００１】
本発明は、アイマスク付きマスク、即ち、口部用マスク（マウスマスク）に眼部用マスク（アイマスク）を付属せしめた口部兼眼部用一体Ｗマスクに関する。
【背景技術】
【０００２】
旅客機々内、バスや電車の車内で配布される、頭、又は耳掛、付き口マスクと、
頭、又は耳掛けアイマスクの
両方を使用する事は耳や頭の負担になり安眠の妨げになる。
【０００３】
特許文献１（特開２００１−１２９０１４号公報）には、乗り物内等で、睡眠中にだらしなく開いてしまった口等を隠すことのできる顔カバー付きアイマスクが開示されている。
当該アイマスクには、目隠し部１ａとゴムひも１ｂとからなるアイマスク１の下方に顔カバー２が設けられている。
当該アイマスクを使用することによって、睡眠中に開いてしまった口やよだれを隠すことができるので、だらしない顔を他人に見られる心配がなく恥ずかしい思いをしないですむ。
さらに、だらしない顔を見られる心配がないので、飛行機や電車等の乗り物内でも安心してじっくり眠ることができる。
顔カバーがアイマスクに着脱自在に設けられたものでは、自宅での睡眠時には顔カバーを取り外してアイマスクのみを使用することもできる。
ポケットの設けられたものでは、ハーブや芳香ビーズ等の香材を入れて使うことができるのでリラックスして安眠できる。
ハーブ等の香材が内蔵されたものでは、リラックスして気持ちよく安眠することができる。
呼吸孔の設けられたものでは、息苦しさがないので、顔を被った時に息苦しさを敏感に感じる人でも気持ちよく安眠できる。
【０００４】
特許文献２（実案登録３０３０６３５号公報）には、装身することで眼部への遮光効果と共に、耳部の保温効果を発揮し、その上耳部への防音効果をも発揮して秀れた熟睡効果を発揮する画期的なアイマスクが開示されている。
当該アイマスクは、目隠し部材１の両端部に頭部に掛け回すバンド２を設けたアイマスクにおいて、この目隠し部材１の両端部に耳を覆う耳当て部３を連設状態に設けたことを特徴とする。
本考案は上述のように、目隠し部材の両端部に耳当て部を連設状態に設けて構成したから、従来のアイマスクと同様の眼部の遮光効果に加えて、耳部の保温、並びに騒音や雑音の防音効果が得られる。
当該アイマスクを使用することにより、耳当て部により耳が良好に保温されるから冬でも耳に冷たさを感じることがなく、しかもこの耳当て部が防音効果も果たすし、目隠し部材の遮光効果も得られるから、就寝時の秀れた熟睡効果を発揮することができる。
また、単に目隠し部材の両端部に耳当て部を連設状態に設けるだけで構成し得るから、コストも掛からず従来製品と略同様の製作工程にて容易に製品化し得る。
額覆い部により額を、頬覆い部により頬を覆うことにより、顔面がより広く覆われて一層保温効果が高められる。
耳当て部を防音性を備えた素材で構成することにより、より高い防音効果を得ることができる。
耳を二重に保護し、更に袋体によって布団から出ている頭と共に、首から肩に至るまで冷気から保護することにより、体が冷えず、トイレももよおすこともなくぐっすりと熟睡できる。
【０００５】
特許文献３（実開平０３−００５４１６号公報）には、両眼を覆う横長のカバー主体と、該カバー主体から下方の顔面を覆う吊下げカバーとから構成され、前記カバー主体の左右両端に耳掛け紐を取付け、かつカバー主体の下端部内面及び吊下げカバーの上端部外面に互いに係合する係止具を対向して固着し、吊下げカバーをカバー主体に着脱可能に固定したことを特徴とする吊下げカバー付き安眠用眼帯が開示されている。
当該安眠用眼帯を使用することにより、カバー主体を装着することにより両眼は勿論、カバー主体より下方の顔面も吊り下げカバーによって覆われるので、寝顔を他人に見られる虞れがなく安心して睡眠をとることができる。
それに吊下げカバーは簡単に取り外しをすることができるので、必要に応じてカバー主体のみでも使用でき非常に便利である。
【０００６】
特許文献４（実開平０３−１１１３１８号公報）には、表面に透明シートのポケットが形成された遮光性マスク本体と、前記ポケットに挿脱自在に装填され、表面に任意のメッセージが表示されたメッセージカードとから構成されているアイマスクが開示されている。
遮光性を有するマスク本体の表面に、任意のメッセージを施すことができるので、「○○時に起こして下さい。」、「○○駅で起こして下さい。」、「食事には起こして下さい。」、「ご訪問を歓迎します。」その他の伝言を表して眼部に装着して使用することにより、周囲の者がメッセージに応答し得、以て、安心して熟睡できるという効果を奏する。
【０００７】
特許文献５（特開２００４−２９８５７９号公報）には、アイマスクを袋状にし、その中にフェースカバーを収納しているので、アイマスク内からフェースカバーを引き出して顔にアイマスクを装着することで、顔全体を覆うことができるため、寝顔を人に見られることなく安眠できるフェースカバー収納アイマスクが開示されている。
乗り物の中や外出先で眠る時、寝顔は人に見られたくないものであり、従来のアイマスクでは光を遮るだけで顔は隠れないという難点があったが、当該アイマスクを使用することにより、乗り物で睡眠をとる際に、寝顔を他人に見られることがなくなる。
【０００８】
特許文献６（実開平５−６２２２６号公報）には、両眼を覆うアイマスク本体１と、両眼下方の顔部を覆う顔カバー５とを備え、前記アイマスク本体１の一面に、前記顔カバー５の収容部が開口を下方に向けて形成されており、前記収容部内に前記顔カバー１の上端が取り付けられてなる顔カバー付きアイマスクが開示されている。
当該アイマスクを使用することにより、両眼をアイマスク本体で覆って安眠を導くとともに、必要に応じて、アイマスク本体側の収容部内から引き出した顔カバーによって両眼下方の顔部も同時に覆って、寝顔を他人に見られるのを防いで、より一層の安眠を導くことができる。
【０００９】
しかしながら、特許文献１〜特許文献６の何れも、単に顔面を覆い隠す機能があるのみであり、
アイマスクを必要としない時はインフルエンザ対策の為早急に必要な、口マスクのみの使用が不完全である。
特許文献１〜特許文献６の何れも、面ファスナーを使用し、再使用を意図しており、
衛生管理上、細菌対策上問題が起きる。
【先行技術文献】
【特許文献】
【００１０】
【特許文献１】特開２００１−１２９０１４号公報
【特許文献２】実案登録３０３０６３５号公報
【特許文献３】実開平０３−００５４１６号公報
【特許文献４】実開平０３−１１１３１８号公報
【特許文献５】特開２００４−２９８５７９号公報
【特許文献６】実開平５−６２２２６号公報
【発明の概要】
【発明が解決しようとする課題】
【００１１】
従来の口部マスク（マウスマスク）、眼部マスク（アイマスク）を機内、車内で同時着用することは、頭、耳掛けが負担で、安眠の妨げになり、同時着用には無理が有った。
従来のアメニティーフェイスマスク（アメニティー顔面マスク）は、再使用目的と、眠らない時、休即時以外はアイマスク部は必要が無く、口マスクのみの使用に無理があつた。
現在、細菌対策が重要な折、空気の移動が限られている、機内、車内では、口マスクは無くては成らない存在になっている。
後日の再使用は衛生上好ましくない場合もある。
外出先で購入するアイマスクは高価であった。
アイマスクも使い捨て素材にすることにより、機内、車内、外出先で、安価に、細菌対策が簡単に出来る。
【００１２】
［第１の解決課題］
第１の解決課題は、マウスマスク部とアイマスク部のうち、一方又は両方の使用が可能であって、マウスマスクとアイマスクを別々に携帯する必要がない一体化せしめたアイマスク付きマスクを提供することである。
【００１３】
［第２の解決課題］
第２の解決課題は、中心線（Ｅ、マウスマスク部とアイマスク部の境界線であって、マウスマスク部上縁、及び／又は、アイマスク部下縁に相当する線）を折るだけで、マウスマスク、又は、アイマスクとして使用することができる一体化せしめたアイマスク付きマスクを提供することである。
【００１４】
［第３の解決課題］
第３の解決課題は、ディスポーザブル素材を使用することにより、細菌対策やウィルス対策に適した衛生用品として活用することが可能なアイマスク付きマスクを提供することである。
【００１５】
［第４の解決課題］
第４の解決課題は、廉価で高機能な不織布やフェルト等の素材として使用することにより、生産コストの低減に資することができるアイマスク付きマスクを提供することである。
【００１６】
［第５の解決課題］
第５の解決課題は、マウスマスクとアイマスクを、接続化、又は、一体化することにより、マスクの内側や耳掛けループに起因する、耳、鼻、顔面、頭部等への負荷・違和感を軽減せしめたアイマスク付きマスクを提供することである。
【００１７】
［第６の解決課題］
第６の解決課題は、マウスマスクとアイマスクを、接続化、又は、一体化することにより、不織布やフェルト等の軽量な素材を使用することにより、マスク全体を軽量化することができる。
【課題を解決するための手段】
【００１８】
本発明者は、このような従来の技術における問題点に鑑み、鋭意検討を進めた結果、細菌対策、乾燥対策、安眠対策を兼ね備え、中心線（Ｅ、マウスマスク部とアイマスク部の境界線であって、マウスマスク部上縁、及び／又は、アイマスク部下縁に相当する線）を折るだけで、マウスマスク部、及び／又は、アイマスク部の使用が可能（即ち、マウスマスク部とアイマスク部のうち、一方又は両方の使用が可能）なアイマスク付きマスク、即ち、口部用マスク（マウスマスク）に眼部用マスク（アイマスク）を付属せしめた口部兼眼部用一体Ｗマスクの発明を完成するに至った。
本願発明に係るアイマスク付きマスクは、ワンウェイのディスポーザブルであっても良いし、ウォッシャブル又はリサイクル可能なリターナブルであっても良い。
【００１９】
本願発明は、特許請求の範囲に記載した請求項に基づき特定される。
【００２０】
[請求項１]
マウスマスク部（Ａ）、アイマスク部（Ｂ）、及び、耳掛けループ（Ｃ）を含んで構成され、マウスマスク部（Ａ）とアイマスク部（Ｂ）が一体化したアイマスク付きマスクであって、
耳掛けループ（Ｃ）は、マウスマスク部の耳掛けループ（ＣA）から構成され、アイマスク部（Ｂ）は、耳掛けループがなくても自立できる素材で構成され、アイマスク部は不透明な不織布又はフェルトを素材とし、マウスマスク部とアイマスク部の境界線に相当する中心線（Ｅ）を中心として二つ折りにすることが可能であり、
第１の使用態様として、眼部と口部を同時にマスクすることを所望する場合には、
中心線（Ｅ）を中心として二つ折りにすることなく、マウスマスク部（Ａ）とアイマスク部（Ｂ）を展開することにより、眼部と口部を同時にマスクすることができ、
第２の使用態様として、口部のみマスクすることを所望する場合には、
中心線（Ｅ）を中心として二つ折りにして、マウスマスク部（Ａ）を顔面側とすることにより、マウスマスクとして口部をマスクすることができ、
第３の使用態様として、眼部のみマスクすることを所望する場合には、
中心線（Ｅ）を中心として二つ折りにして、アイマスク部（Ｂ）を顔面側とすることにより、アイマスクとして眼部をマスクすることができることを特徴とする
３つの使用態様に適用可能な機内、車内又は外出先で細菌対策が出来るアイマスク付きマスク。
【発明の効果】
【００２１】
［第１の発明の効果］
本願発明に係るアイマスク付きマスクは、口部用マスク（マウスマスク）に眼部用マスク（アイマスク）を付属せしめた口部兼眼部用一体化せしめたダブルマスクであるので、マウスマスク部とアイマスク部のうち、一方又は両方の使用が可能であるので、マウスマスクとアイマスクを別々に携帯する必要がない。
【００２２】
［第２の発明の効果］
本願発明に係るアイマスク付きマスクは、口部用マスク（マウスマスク）に眼部用マスク（アイマスク）を付属せしめた口部兼眼部用一体化せしめたダブルマスクであって、中心線（Ｅ、マウスマスク部とアイマスク部の境界線であって、マウスマスク部上縁、及び／又は、アイマスク部下縁に相当する線）を折るだけで、マウスマスク、又は、アイマスクとして使用することができる。
【００２３】
［第３の発明の効果］
本願発明に係るアイマスク付きマスクは、ディスポーザブル素材を使用することにより、細菌対策やウィルス対策に適した衛生用品として活用することが可能である。
【００２４】
［第４の発明の効果］
本願発明に係るアイマスク付きマスクは、廉価で高機能な不織布やフェルトを素材として使用することにより、生産コストの低減に資することができる。
【００２５】
［第５の発明の効果］
本願発明に係るアイマスク付きマスクは、マウスマスクとアイマスクが、接続、又は、一体化しているため、マスクの内側や耳掛けループに起因する、耳、鼻、顔面、頭部等への負荷・違和感が軽減される。
【００２６】
［第６の発明の効果］
本願発明に係るアイマスク付きマスクは、マウスマスクとアイマスクが、接続、又は、一体化しているため、不織布やフェルト等の軽量な素材を使用することにより、マスク全体を軽量化することができる。
【発明を実施するための形態】
【００２７】
使い捨て目、口兼用Ｗマスクの使用場所、目的に依り、口マスクの型、色、材質は細菌対策、乾燥対策、安眠対策を重視し使用場所に依り変えることが出来る。
アイマスクの型、色、材質は細菌対策、乾燥対策、安眠対策を重視し使用場所に依り変えることが出来る。
耳掛け、頭賭けの有無、は安眠、休息を重視し、有っても無くても良い。
耳掛けの材質は耳、頭の負担にならない素材であれば何でも良い。
【００２８】
マウスマスク部とアイマスク部の素材は、特に限定されるものではない。
マウスマスク部の素材は特に限定されるものではないが、好ましくは、衛生維持、浮遊細菌の捕捉、乾燥防止等を重視する観点から、合目的的に製作方法、型、大きさ、色、材質が選択される。
アイマスク部の素材は特に限定されるものではないが、好ましくは、安眠と休息の維持、遮光性を重視する観点から、合目的的に製作方法、型、大きさ、色、材質又、耳掛けが選択される。
本願発明の実施形態にについて、以下に図１〜図４に基づいて説明をする。
【００２９】
図１に、アイマスク付きマスクの基本構造（実施例１）を示した。
図１において、Ａは口部マスクモジュール（マウスマスク部）であり、Ｂは眼部マスクモジュール（アイマスク部）であり、ＣAはマウスマスク部の耳掛けループであり、Ｅは中心線（マウスマスク部とアイマスク部の境界線（マウスマスク部上縁／アイマスク部下縁））である。
アイマスク部（Ｂ）は、耳掛けループ（ＣB）がなくても、眼部と反対側にしなだれ落ちることなく、眼部側に密着・圧着しつつ自立することができる腰の強い素材（この場合は、腰の強い不織布）で構成されている。
【００３０】
図２に、アイマスク付きマスクの基本構造（実施例２）を示した。
図２において、Ａは口部マスクモジュール（マウスマスク部）であり、Ｂは眼部マスクモジュール（アイマスク部）であり、ＣAはマウスマスク部の耳掛けループである。
アイマスク部（Ｂ）は、耳掛けループ（ＣB）がなくても、眼部と反対側にしなだれ落ちることなく、眼部側に密着・圧着しつつ自立することができる腰の強い素材（この場合は、腰の強い不織布）で構成されている。
【００３１】
図３に、アイマスク付きマスクの基本構造（実施例３）を示した。
図３において、Ａは口部マスクモジュール（マウスマスク部）であり、Ｂは眼部マスクモジュール（アイマスク部）であり、ＣAはマウスマスク部の耳掛けループであり、ＣBはアイマスク部の耳掛けループであり、Ｅは中心線（マウスマスク部とアイマスク部の境界線（マウスマスク部上縁／アイマスク部下縁））であり、Ｆはプリーツ（ゆとり、たるみ、ひだ、あそび）である。
アイマスク部（Ｂ）は、耳掛けループ（ＣB）がなくても、眼部と反対側にしなだれ落ちることなく、眼部側に密着・圧着しつつ自立することができる腰の強い素材（この場合は、フェルト）で構成されている。
【００３２】
図４に、中心線Ｅで二折に畳んだ状態のアイマスク付きマスクの基本構造（実施例４）を示した。
図４において、Ａは口部マスクモジュール（マウスマスク部）であり、Ｂは眼部マスクモジュール（アイマスク部）であり、ＣAはマウスマスク部の耳掛けループであり、ＣBはアイマスク部の耳掛けループであり、Ｅは中心線（マウスマスク部とアイマスク部の境界線（マウスマスク部上縁／アイマスク部下縁））である。
【図面の簡単な説明】
【００３３】
【図１】アイマスク付きマスクの基本構造        （中心線Ｅを中心として二折に畳むことなく展開した状態）。
【図２】アイマスク付きマスクの基本構造        （中心線Ｅを中心として二折に畳むことなく展開した状態）。
【図３】アイマスク付きマスクの基本構造        （中心線Ｅを中心として二折に畳むことなく展開した状態）。
【図４】アイマスク付きマスクの基本構造          （実施例４を中心線Ｅを中心として二折に畳んだ状態）。
【符号の説明】
【００３４】
Ａ  口部マスクモジュール（マウスマスク部）
Ｂ  眼部マスクモジュール（アイマスク部）
Ｃ  耳掛けループ
ＣA  マウスマスク部の耳掛けループ
ＣB  アイマスク部の耳掛けループ
Ｄ  Ａ（マウスマスク部）＋Ｂ（アイマスク部）
Ｅ  中心線
（マウスマスク部とアイマスク部の境界線
（マウスマスク部上縁／アイマスク部下縁））
Ｆ  プリーツ（ゆとり、たるみ、ひだ、あそび）
【手続補正４】
【補正対象書類名】図面
【補正対象項目名】全図
【補正方法】変更
【補正の内容】
【図１】
2012165829.tif 000009
【図２】
2012165829.tif 000010
【図３】
2012165829.tif 000011
【図４】
2012165829.tif 000012